(57)【要約】【課題】原稿押さえ板を開ける際に原稿トレイが軸回りに回動することを規制できる画像読取装置を提供する。【解決手段】原稿の画像情報を読み取る原稿読取部本体１４と、第１の軸に回動可能に取り付けられ画像読取部本体１４上の原稿を押さえる原稿押さえ部材２１と、原稿押さえ部材２１に取り付けられ原稿読取部本体１４上に原稿を供給する原稿供給手段２０と、第２の軸２８に回動可能に取り付けられ原稿供給手段２０に供給する原稿が載置される原稿トレイ２６と、を備えた画像読取装置１０であって、原稿トレイ２６の所定方向への回動を規制する規制手段３２、３４、３８、４０を備えた構成とした。【選択図】      図２
2004328165.tif 000002
【特許請求の範囲】
【請求項１】
原稿の画像情報を読み取る原稿読取部本体と、第１の軸に回動可能に取り付けられ前記画像読取部本体上の原稿を押さえる原稿押さえ部材と、前記原稿押さえ部材に取り付けられ前記原稿読取部本体上に原稿を供給する原稿供給手段と、第２の軸に回動可能に取り付けられ前記原稿供給手段に供給する原稿が載置される原稿トレイと、を備えた画像読取装置であって、
前記原稿トレイの所定方向への回動を規制する規制手段を備えたことを特徴とする画像読取装置。
【請求項２】
前記規制手段は、前記第２の軸に取り付けられ前記原稿トレイの前記所定の方向への回動を規制するように前記原稿トレイに弾性力を負荷する付勢手段であることを特徴とする請求項１に記載の画像読取装置。
【請求項３】
前記原稿供給手段は、第３の軸に回動可能に取り付けられており、
前記規制手段は、前記原稿供給手段に設けられ、前記原稿トレイから前記原稿供給手段に原稿が供給されるときの該原稿供給手段の位置で前記原稿トレイの少なくとも一部を上方から押える押圧片であることを特徴とする請求項１に記載の画像読取装置。
【発明の詳細な説明】
【０００１】
【発明の属する技術分野】
本発明は、ファクシミリ、スキャナ、電子写真複写機等の画像読取装置に関する。
【０００２】
【従来の技術】
図７に示すように、従来の画像読取装置１００は、自動原稿送り装置１０２を備えた原稿押さえ板１０４が、画像読取装置本体１０６に対して第１の軸１０８の軸回りに回動可能となるように取り付けられている。また、自動原稿送り装置１０２には原稿給紙台１１０が第２の軸１１２の軸回りに回動可能となるように取り付けられているが、原稿押さえ板１０４と原稿給紙台１１０とが同じ方向に回動する構成であるため、原稿押さえ板１０４を開くと、同時に原稿給紙台１１０も回動してしまう。このため、原稿給紙台１１０上に載置された原稿が画像読取装置１００の背面側に落下してしまう問題がある（下記特許文献１参照）。
【０００３】
一方、図８に示すように、原稿押さえ板１２２が回動する第１の軸１２４と、原稿給紙台１２６が回動する第２の軸１２８とを直交方向に設定している画像読取装置１２０がある。この画像読取装置１２０によれば、原稿押さえ板１２２を第１の軸１２４の回りに回動させたときでも、原稿給紙台１２６が第２の軸１２８の軸回りに回動しにくくしている（下記特許文献２参照）。
【０００４】
ところが、第１の軸１２４と第２の軸１２８が直交方向となるように設定しても、原稿押さえ板１２２を強く開けたときなど原稿押さえ板１２２の開け方によっては、原稿給紙台１２６も同時に第２の軸１２８の軸回りに回動することがある。特に、原稿給紙台１２６に積載可能な原稿枚数が増加傾向にあるため、原稿給紙台１２６の連れ回りを確実に規制する必要がある。
【０００５】
【特許文献１】
特開平２−６４５３４号公報（公報の第４図参照）
【特許文献２】
特開平６−１６４８２３号公報（公報の図１参照）
【０００６】
【発明が解決しようとする課題】
そこで、本発明は、上記事情に鑑みて成されたものであり、簡易な構成により、原稿押さえ板を開ける際に原稿トレイが軸回りに回動することを規制できる画像読取装置を提供することを目的とする。
【０００７】
【課題を解決するための手段】
本発明は、上記課題を解決するため、以下の手段を採用する。
請求項１に記載の発明は、原稿の画像情報を読み取る原稿読取部本体と、第１の軸に回動可能に取り付けられ前記画像読取部本体上の原稿を押さえる原稿押さえ部材と、前記原稿押さえ部材に取り付けられ前記原稿読取部本体上に原稿を供給する原稿供給手段と、第２の軸に回動可能に取り付けられ前記原稿供給手段に供給する原稿が載置される原稿トレイと、を備えた画像読取装置であって、前記原稿トレイの所定方向への回動を規制する規制手段を備えたことを特徴とする。
【０００８】
請求項１に記載の画像読取装置によれば、規制手段が設けられているため、原稿押さえ部材を開けようと第１の軸回りを回動させたときに、原稿トレイが同時に第２の軸回りに回動することを規制できる。このため、原稿トレイ上に原稿が載置された状態で、原稿押さえ部材を開けても、原稿トレイ上の原稿が周囲に散乱することがない。
【０００９】
請求項２に記載の発明は、請求項１に記載の画像読取装置において、前記規制手段は、前記第２の軸に取り付けられ前記原稿トレイの前記所定の方向への回動を規制するように前記原稿トレイに弾性力を負荷する付勢手段であることを特徴とする
【００１０】
請求項２に記載の画像読取装置によれば、付勢手段により原稿トレイに対して、原稿トレイの前記所定の方向―の回動を規制するように弾性力が負荷されているため、原稿押さえ部材を開けた場合でも原稿トレイが所定の方向に回動することを防止できる。このように、付勢手段による弾性力により原稿の所定の方向への回動を規制することができるとともに、原稿トレイに外力が作用し原稿トレイが付勢手段の弾性力に抗して所定の方向に軸回りに回動した場合でも、その外力が取り払われると原稿トレイが付勢手段の弾性力により元の状態に戻される。
【００１１】
請求項３に記載の発明は、請求項１に記載の画像読取装置において、前記原稿供給手段は第３の軸に回動可能に取り付けられており、前記規制手段は前記原稿供給手段に設けられ、前記原稿トレイから前記原稿供給手段に原稿が供給されるときの該原稿供給手段の位置で前記原稿トレイの少なくとも一部を上方から押える押圧片であることを特徴とする。
【００１２】
請求項３に記載の画像読取装置によれば、原稿供給手段に設けられている押圧片により、原稿トレイから原稿供給手段に原稿が供給されるときの原稿供給手段の位置で原稿トレイの少なくとも一部が上方から押えられる。このため、原稿トレイは、押圧片からの押圧力により、所定の方向への回動が規制される。一方、原稿供給手段が第３の軸回りに回動させられると、押圧片から原稿トレイへの押圧が解除され、原稿トレイは第３の軸回りに回動することができるようになる。
【００１３】
【発明の実施の形態】
次に、本発明の実施形態の画像読取装置について、図面を参照して説明する。
【００１４】
図１、図２及び図６に示すように、画像読取装置１０は、複数の給紙カセット１２が配置された画像読取装置本体１４を備えている。この画像読取装置本体１４の上面にはプラテンガラス１６が取り付けられており、このプラテンガラス１６の下方であり、かつ画像読取装置本体１４に内部に原稿の情報を読み取るスキャナ（図示省略）が配置されている。また、画像読取装置本体１４の上部前面には、原稿の情報読取の開始や中止などを操作する操作パネル１８が配置されている。
【００１５】
ここで、画像読取装置本体１４の上部には、プラテンガラス１６上の原稿を押さえる原稿押さえ板２１が画像読取装置本体１４の上部に設けられた取付軸（第１の軸）２２に軸回りに回動可能となるように取り付けられている。図６に示すように、原稿押さえ板２１が取付軸２２の軸回りに回動することによりプラテンガラス１６を開閉できるようになっている。
また、この原稿押さえ板２１の上部には、プラテンガラス１６上に原稿を供給するための自動原稿送り装置２０が取り付けられている。自動原稿送り装置２０は、原稿をＵターンさせて原稿をプラテンガラス１６上に搬送する原稿供給機構（図１及び図２では図示省略）と、この原稿供給機構を覆うカバー部材２４とを備えている。自動原稿送り装置２０は、原稿押さえ板２１に設けられた開閉軸（第３の軸、図示省略）に取り付けられており、軸回りに回動可能となるように構成されている。
【００１６】
また、図２に示すように、原稿トレイ２６は、原稿供給機構に接続されている。すなわち、原稿供給機構の外枠２５には、１本の支持軸（第２の軸）２８が掛け渡されている。この支持軸２８は、前記取付軸２２と直交している。また、支持軸２８は原稿トレイ２６の端部に形成された貫通孔３０を挿通している。したがって、原稿トレイ２６は、この支持軸２８の軸回りに回転することができる（図１中矢印Ａ方向参照）。
【００１７】
ここで、原稿トレイ２６には、爪状に曲がっている先端部（規制手段）３２を備えた係合片（規制手段）３４が形成されている。一方、前記係合片３４と対向する原稿押さえ板２１の突出部３６には、前記係合片３４の先端部３２と係合する突起（規制手段）３８が形成されている。また、前記支持軸２８には原稿トレイ２６を突起３８の方向（図２中矢印Ｂ方向）に付勢するコイルばね（規制手段）４０が嵌められている。
【００１８】
次に、本実施形態に係る画像読取装置１０の作用及び効果について詳細に説明する。
【００１９】
図１及び図２に示すように、本実施形態の画像読取装置１０の原稿トレイ２６は、係合片３４の先端部３２が突起３８と係合しており、かつ、この状態でコイルばね４０により原稿トレイ２６が図２中矢印Ｂ方向に付勢されている。このため、原稿トレイ２６の係合片３４の先端部３２と突起３８との係合状態が維持される。この結果、図６に示すように、自動原稿送り装置２０が取付軸２２の軸回りに回転させた場合でも、原稿トレイ２６が支持軸２８の軸回りに回転することを確実に防止することができる。この結果、原稿トレイ２６上の原稿が周囲に散乱することを防止することができる。
【００２０】
なお、原稿トレイ２６をコイルばね４０に弾性力に対抗して図２中矢印Ｃ方向が押し込むことにより、係合片３４の先端部３２と突起３８との係合を容易に解除することができる。この結果、原稿トレイ２６を支持軸２８の軸回りに回転させることができ、ジャムにも対応することができる。
【００２１】
次に、第２実施形態に係る画像読取装置について説明する。
なお、本実施形態に係る画像読取装置の構成は、基本的に第１実施形態に係る画像読取装置１０の構成と異なるものであるが、重複する構成には同符号を付し、適宜説明を省略する。
【００２２】
図３及び図４に示すように、本実施形態の画像読取装置５０の自動原稿送り装置５１は、原稿供給機構６０とこれを覆うカバー部材５２とを備えており、カバー部材５２には押圧片５４が形成されている。また、自動原稿送り装置５１は、原稿押さえ板２１に設けられた開閉軸５３に回動可能となるように取り付けられている。図４（Ａ）に示すように、原稿トレイ５６から原稿が供給される場合の自動原稿送り装置５１の位置では、カバー部材５２の押圧片５４が原稿トレイ５６の上面を上方から押圧するように構成されている。なお、図４（Ｂ）、（Ｃ）に示すように、自動原稿送り装置５１は、開閉軸５３の軸回りに回動することにより、ジャムが発生したときに対応できるようになっている。さらに、本実施形態の画像読取装置５０では、原稿トレイ５６は原稿押さえ板２１の上部に設けられた支持軸５８に回動可能となるように取り付けられている。
【００２３】
ここで、本実施形態に係る画像読取装置５０の作用及び効果について詳細に説明する。
【００２４】
図４（Ａ）に示すように、原稿トレイ５６から原稿供給機構６０に原稿が供給される通常状態の自動原稿送り装置５１の位置では、カバー部材５２に形成された押圧片５４が原稿トレイ５６の上面を常に上方から押圧している。このため、原稿トレイ５６の支持軸５８の軸回りの回転が規制される。この結果、原稿トレイ５６から原稿供給機構６０に原稿が供給される通常状態では、原稿押さえ板２１を取付軸（図３及び図４では図示省略）回りに回動させた場合でも、原稿トレイ５６が支持軸５８回りに回動することがないため、原稿トレイ５６上の原稿が落下することがない。
【００２５】
なお、図４（Ｂ）、（Ｃ）に示すように、原稿供給機構６０に原稿が詰まりジャムが発生したときには、自動原稿送り装置５１を開閉軸５３の軸回りに回動させることにより、内部に詰まった原稿を容易に取り出すことができる。さらに、このとき、原稿トレイ５６に対する押圧片５４からの押圧が解除されるため、原稿トレイ５６を支持軸５８の軸回りに自由に回転させることができ、詰まった原稿を取り出すのに原稿トレイ５６が邪魔になることがない。また、ジャムが発生していない場合でも、自動原稿送り装置５１を開閉軸５３の軸回りに回動させ、さらに原稿トレイ５６を支持軸５８の軸回りに回転させることにより、原稿トレイ５６の下部に位置する排出トレイ５９に排出された原稿を容易に取り出すことができる。
【００２６】
次に、第３実施形態に係る画像読取装置について説明する。
なお、本実施形態に係る画像読取装置の構成は、基本的に第２実施形態に係る画像読取装置５０の構成と同様であるが、以下の点が異なる。
【００２７】
図５に示すように、本実施形態の画像読取装置７０では、原稿トレイ７２が原稿押さえ板２１に設けられた支持軸７６に回動可能となるように取り付けられている。ここで、支持軸７６にはトーションばね７４が装着されており、トーションばね７４の一端が原稿押さえ板２１の一部を押圧し、他端が原稿トレイ７２の上面を常に上方から原稿押さえ板２１側に向けて押圧するように構成されている。
【００２８】
本実施形態の画像読取装置７０によれば、原稿トレイ７２は、常に上方からトーションばね７４の弾性力により原稿押さえ板２１側に向けて押し付けられるため、原稿押さえ板２１を開けたときに原稿トレイ７２が原稿押さえ板２１側と反対側に回動することを防止することができる。
【００２９】
なお、ジャムが発生したときには、自動原稿送り装置７８を開け、かつ、原稿トレイ７２をトーションばね７４の弾性力に抗して押し上げることにより、原稿トレイ７２を原稿押さえ板２１側と反対側に回転させることができ、内部に詰まった原稿を容易に取り出すことができる。
【００３０】
【発明の効果】
以上説明した本発明の画像読取装置においては以下の効果を奏する。
請求項１記載の発明は、規制手段が設けられているため、原稿押さえ部材を開けようと第１の軸回りを回動させたときに、原稿トレイが同時に第２の軸回りに回動することを規制できる。このため、原稿トレイ上に原稿が載置された状態で、原稿押さえ部材を開けても、原稿トレイ上の原稿が周囲に散乱することがない。
【００３１】
請求項２記載の発明は、付勢手段により原稿トレイに対して、原稿トレイの前記所定の方向―の回動を規制するように弾性力が負荷されているため、原稿押さえ部材を開けた場合でも原稿トレイが所定の方向に回動することを防止できる。このように、付勢手段による弾性力により原稿の所定の方向への回動を規制することができるとともに、原稿トレイに外力が作用し原稿トレイが付勢手段の弾性力に抗して所定の方向に軸回りに回動した場合でも、その外力が取り払われると原稿トレイが付勢手段の弾性力により元の状態に戻される。
【００３２】
請求項３記載の発明は、原稿供給手段に設けられている押圧片により、原稿トレイから原稿供給手段に原稿が供給されるときの原稿供給手段の位置で原稿トレイの少なくとも一部が上方から押えられる。このため、原稿トレイは、押圧片からの押圧力により、所定の方向への回動が規制される。一方、原稿供給手段が第３の軸回りに回動させられると、押圧片から原稿トレイへの押圧が解除され、原稿トレイは第３の軸回りに回動することができるようになる。
【図面の簡単な説明】
【図１】本発明の第１実施形態に係る画像読取装置の斜視図である。
【図２】本発明の第１実施形態に係る画像読取装置の部分断面図である。
【図３】本発明の第２実施形態に係る画像読取装置の平面図である。
【図４】図３に示す画像読取装置の部分断面図である。
【図５】本発明の第３実施形態に係る画像読取装置の平面図である。
【図６】本発明の第１実施形態に係る画像読取装置を構成する原稿押さえ部材が開いた状態を示した斜視図である。
【図７】従来の画像読取装置の斜視図である。
【図８】従来の画像読取装置の斜視図である。
【符号の説明】
１０  画像読取装置
５０  画像読取装置
７０  画像読取装置
１４  画像読取装置本体（原稿読取部本体）
２０  自動原稿送り装置（原稿供給手段）
２１  原稿押さえ板（原稿押さえ部材）
２２  取付軸（第１の軸）
２６  原稿トレイ
５６  原稿トレイ
７２  原稿トレイ
７８  自動原稿送り装置（原稿供給手段）
２８  支持軸（第２の軸）
３２  先端部（規制手段）
３４  係合片（規制手段）
３８  突起（規制手段）
４０  コイルばね（規制手段）
５１  自動原稿送り装置（原稿供給手段）
５２  カバー部材（原稿供給手段）
５４  押圧片
５８  支持軸（第２の軸）
６０  原稿供給機構（原稿供給手段）
７２  トーションばね（付勢手段）
７６  支持軸（第２の軸）
５３  開閉軸（第３の軸）
【図１】
2004328165.tif 000003
【図２】
2004328165.tif 000004
【図３】
2004328165.tif 000005
【図４】
2004328165.tif 000006
【図５】
2004328165.tif 000007
【図６】
2004328165.tif 000008
【図７】
2004328165.tif 000009
【図８】
2004328165.tif 000010